(57)【要約】【課題】独立した表示モジュールおよびタッチ式入力モジュールを統合した携帯型電子装置を提供することを課題とする。【解決手段】携帯型電子装置をケーシングと、表示モジュールと、タッチ式入力モジュールとを有するものとし、表示モジュールはケーシングに配設されるとともに表示面を備えており、タッチ式入力モジュールはケーシングに配設され、表示面に対して表示モジュールの下側に位置させることで解決した。【選択図】図２Ｂ
2013089257.tif 000002
【特許請求の範囲】
【請求項１】
ケーシングと、
前記ケーシングに配設されるとともに、表示面を有する表示モジュールと、
前記ケーシングに配設され、前記表示面に対して前記表示モジュールの下側に位置している少なくとも一つのタッチ式入力モジュールと、を備えた、ことを特徴とする携帯型電子装置。
【請求項２】
前記タッチ式入力モジュールがタッチ式入力キーボードである、ことを特徴とする請求項１に記載の携帯型電子装置。
【請求項３】
前記タッチ式入力モジュールが前記ケーシングに摺動的に配設されている、ことを特徴とする請求項１に記載の携帯型電子装置。
【請求項４】
前記ケーシングが収容スロットを備えており、前記タッチ式入力モジュールが前記収容スロットに摺動的に配設されている、ことを特徴とする請求項３に記載の携帯型電子装置。
【請求項５】
前記タッチ式入力モジュールが前記ケーシングに枢設されている、ことを特徴とする請求項１に記載の携帯型電子装置。
【請求項６】
前記タッチ式入力モジュールが前記ケーシングの裏面に収容される、ことを特徴とする請求項１に記載の携帯型電子装置。
【請求項７】
前記タッチ式入力モジュールが前記ケーシングに取り外し可能に配設されている、ことを特徴とする請求項１に記載の携帯型電子装置。
【請求項８】
前記携帯型電子装置がタブレット型コンピュータまたは多機能携帯電話である、ことを特徴とする請求項１に記載の携帯型電子装置。
【請求項９】
前記タッチ式入力モジュールを複数備え、このうちの少なくとも二つの前記タッチ式入力モジュールがそれぞれ前記ケーシングの異なる側に配設されている、ことを特徴とする請求項１に記載の携帯型電子装置。
【請求項１０】
前記タッチ式入力モジュールが、
電気抵抗式のタッチパネルまたは静電容量式タッチパネルであるタッチ式入力パネルを備えた、ことを特徴とする請求項１に記載の携帯型電子装置。
【発明の詳細な説明】
【技術分野】
【０００１】
本発明は電子装置に関し、特に携帯型電子装置に関する。
【背景技術】
【０００２】
従来、各種のタッチ式入力装置は、例えば多くの場合、携帯電話機、タブレット型コンピュータのようなタッチ式入力装置は、多くの場合はタッチスクリーンを入力装置としており、すでに電子製品に広く応用されている。タッチスクリーンの場合、使用者は手でタッチスクリーンの表面に直接触れてコマンドを送るか、またはタッチスクリーンの表面で移動させることができるため、カーソル操作または文字の手書き入力はしやすくなっている。タッチスクリーンでは使用者がタップするための仮想キーをディスプレイ上に表示することも可能であることから、使用者はこれら仮想キーにより対応する関連文字を入力することができる。
【０００３】
図１に示すように、従来公知のタブレット型コンピュータ１は、タッチスクリーン１１と、ケーシング１２とを備えており、ケーシング１２はタッチスクリーン１１を覆いつつタッチスクリーン１１の表示面のみを露出させている。一般的には、タッチスクリーン１１は表示パネル１１１とタッチ式入力パネル１１２とを備えており、タッチ式入力パネル１１２は表示パネル１１１の表示面上に配置されている。タッチ式入力パネルは一般的に、電気抵抗式、静電容量式、超音波式および赤外線式の複数種類に分けることができ、このうち、電気抵抗式のタッチ式入力パネルの製品が最も多く、電気抵抗式のタッチ式入力パネルの設計はさらに四線式、五線式、六線式、八線式などに分けることができる。四線式のタッチ式入力パネルはコストおよび技術面で成熟していることから、現在すでに広く生産および応用がなされている。
【０００４】
多くの場合、従来のタッチ式入力パネル１１２は表示パネル１１１に組み合わされて共同して働くものであって、例えば、表示パネル１１１上に、使用者がタッチ式入力パネル１１２上で対応する領域でタップするためのアイコンを表示するか、または表示パネル１１１上に使用者がタッチ式入力パネル１１２上で移動させるためのカーソルを表示する。もしタッチスクリーン１１をキーボードとして使用する場合、表示パネル１１１上にキーボード全体か大部分を表示して、その後使用者がタッチ式入力パネル１１２上でキーに対応する領域にふれてタップすることでキー入力を発生させるものであるが、この場合ではタッチスクリーン１１に仮想のキーボードを発生させるものであって、タッチ式入力パネル１１２内に実際のキーボードを形成するというものではない。
【０００５】
従来のタッチ式入力パネル１１２では表示パネル１１１と組み合わせないと使用者が判別可能なキー領域を表すことはできず、そして使用者が表示パネル１１１に表示されている仮想のキーをはっきりと誤認することなく視認するとともにタッチ式入力パネル１１２上にてキーに対応する領域に触れてキー信号を発生させることはできない。つまり、従来のタッチ式入力パネル１１２は独立したキーボード機能は備えず、単独でキー入力装置とすることはできない。
【０００６】
また、タブレット型コンピュータ１におけるタッチ式入力パネル１１２は表示パネル１１１の表示面上方に配設されており、タッチスクリーン１１の入力領域と表示領域とが互いに重なっていることから、使用者が表示領域を見るときに入力領域に干渉されてしまいやすい。
【０００７】
したがって、電子装置において表示装置と統合されて、表示モジュールから独立したタッチ式入力モジュールをどのように提供するかということは、重要な課題の一つとなっている。
【発明の概要】
【発明が解決しようとする課題】
【０００８】
上記課題に鑑み、本発明の目的は独立した表示モジュールおよびタッチ式入力モジュールを統合した携帯型電子装置を提供するところにある。
【課題を解決するための手段】
【０００９】
上記目的を達成するために、本発明の携帯型電子装置は、ケーシングと、表示モジュールと、タッチ式入力モジュールとを備えており、表示モジュールはケーシングに配設されるとともに表示面を備えており、タッチ式入力モジュールはケーシングに配設され、表示面に対して表示モジュールの下側に位置していることを特徴とする。
【００１０】
その際に本発明に係る携帯型電子装置は、タッチ式入力モジュールをタッチ式入力キーボードとすることができる。
【００１１】
また、本発明において、タッチ式入力モジュールはケーシングに摺動的に配設されており、ケーシングは収容スロットを備えており、タッチ式入力モジュールは収容スロットに摺動的に配設されていることを特徴とする。
【００１２】
さらに本発明において、タッチ式入力モジュールはケーシングに枢設されており、ケーシングの裏面に収容されるとともに、ケーシングの裏面から前面に反転させることができる。
【００１３】
さらに本発明において、タッチ式入力モジュールはケーシングに取り外し可能に配設されていることを特徴とする。
【００１４】
さらに、本発明に係る携帯型電子装置はタブレット型コンピュータまたは多機能携帯電話とすることができる。
【００１５】
さらに、本発明に係る携帯型電子装置は複数のタッチ式入力モジュールを備え、このうちの少なくとも二つのタッチ式入力モジュールがそれぞれケーシングの異なる側に配設されていることを特徴とする。
【００１６】
そして、本発明において、タッチ式入力モジュールは電気抵抗式のタッチパネルまたは静電容量式タッチパネルであるタッチ式入力パネルを備えていることを特徴とする。
【発明の効果】
【００１７】
上記によれば、本発明の携帯型電子装置において、タッチ式入力モジュールは表示モジュールの表示面に配設されているものではなく、表示面に対して表示モジュールの下側に配置されているため、タッチ式入力モジュールと表示モジュールとが独立して動作可能となっており、使用者が表示モジュールを見るときでもタッチ式入力モジュールに干渉されることはない。また、タッチ式入力モジュールはタッチ式入力キーボードとすることができるので、使用頻度の高い使用者にとっては、独立したタッチ式入力キーボードは従来の仮想キーボードよりも多くのキーを提供できるので、さらに扱いやすくなる。
【図面の簡単な説明】
【００１８】
【図１】従来のタブレット型コンピュータの概略図である。
【図２Ａ】本発明の好ましい実施例１に係る携帯型電子装置の概略図である。
【図２Ｂ】本発明の好ましい実施例１に係る携帯型電子装置の概略図である。
【図２Ｃ】本発明の好ましい実施例１に係る携帯型電子装置の概略図である。
【図３Ａ】本発明の好ましい実施例２に係る携帯型電子装置の概略図である。
【図３Ｂ】本発明の好ましい実施例２に係る携帯型電子装置の概略図である。
【図３Ｃ】本発明の好ましい実施例２に係る携帯型電子装置の概略図である。
【図４Ａ】本発明の好ましい実施例３に係る携帯型電子装置の概略図である。
【図４Ｂ】本発明の好ましい実施例４に係る携帯型電子装置の概略図である。
【図５】本発明の好ましい実施例５に係る携帯型電子装置の概略図である。
【発明を実施するための形態】
【００１９】
以下にて関連する図面を参照し、本発明の好ましい実施例に係る携帯型電子装置を説明する。同じ構成要素は同じ符号を付して説明する。
【実施例１】
【００２０】
図２Ａないし図２Ｃは本発明の好ましい実施例１の携帯型電子装置を示す。図２Ａに示すように、携帯型電子装置２はケーシング２１と、表示モジュール２２と、タッチ式入力モジュール２３とを備えており、表示モジュール２２はケーシング２１に配設されるとともに表示面２２１を備えており、タッチ式入力モジュール２３はケーシング２１に配設され、表示面２２１に対して表示モジュール２２の下側に位置している。
【００２１】
図２Ｂおよび２Ｃに示すように、タッチ式入力モジュール２３はケーシング２に摺動的に配設されている。例示して説明すると、ケーシング２１は収容スロット２１１を備えており、タッチ式入力モジュール２３は収容スロット２１１に摺動的に配設されている。タッチ式入力モジュール２３は使用しないときには収容スロット２１１内に収容されているが、使用者は収容スロット２１１からタッチ式入力モジュール２３を引き出して操作および使用することができる。使用しないときには、使用者はタッチ式入力モジュール２３を収容スロット２１１内に押し込んで収容することができる。また、機構的な設計によって、スイッチなどの操作により、タッチ式入力モジュール２３が直接収容スロット２１１から弾発的に押し出されるようにしてもよい。
【００２２】
例示して説明すると、タッチ式入力モジュール２３はタッチ式入力キーボードであり、タッチ式入力モジュール２３は複数の入力ユニット２３１を備えている。一つの入力ユニット２３１は少なくとも一つの対応する一つのキー領域と見なすことができ、各入力ユニット２３１は使用者のタッチ入力に基づいて入力信号を生成する。つまり、タッチ式入力モジュール２３は各入力ユニット２３１を各々独立したキーと見なしており、各入力ユニット２３１が生成した入力信号は入力ユニット２３１が表すキーに対応している。
【００２３】
タッチ式入力モジュール２３はタッチ式入力パネルを備えており、タッチ式入力パネルは電気抵抗式のタッチパネルまたは静電容量式タッチパネルとすることができ、タッチ式入力モジュール２３は表示装置で複数のキー領域を表示するものではなく、タッチ式入力パネル内に複数で各々独立して入力可能な入力ユニット２３１が直接形成されている。各入力ユニット２３１は各々対応して表すキーを表示することができるものであって、例えば入力ユニット２３１の外面または外層上には使用者が識別しやすくするためにキーに対応する文字またはマークといったアイコンが設けられており、その配置方式は例えばプリントまたは刻印などであるか、または入力ユニット２３１内にカラーの蛍光体または染料を設けて、蛍光体または染料が対応文字またはマークのアイコンとして配列されるものである。
【００２４】
例示して説明すると、タッチ式入力モジュール２３は標準的なキーボードの形態で配列することができ、複数の入力ユニット２３１は標準的なキーボードにおける例えばＡ〜Ｚ、Ｆ１〜Ｆ１２、Ａｌｌ、Ｃｔｒｌ、スペース（Ｓｐａｃｅ）、エンター（Ｅｎｔｅｒ）、バックスペース（Ｂａｃｋｓｐａｃｅ）、ホーム（Ｈｏｍｅ）、エンド（Ｅｎｄ）、ページアップ（ＰａｇｅＵｐ）、ページダウン（ＰａｇｅＤｏｗｎ）などを表しており、各入力ユニット２３１はそれが表すキーの標準的なキーボードの位置に基づいて、タッチ式入力モジュール２３のタッチ式入力パネルに配設されている。
【００２５】
また、タッチ式入力モジュール２３は例示的な説明であって、標準的なキーボードの形態に配列されたものに限定するものではなく、タッチ式入力モジュール２３は、例えばテンキーの形態に配列するという具合に、応用の需要に応じて適した形態に配列してもよい。また、タッチ式入力モジュール２３のタッチ式入力パネルはフレキシブルなパネルとしてもよい。
【００２６】
また、タッチ式入力モジュール２３はタッチパッドとしてもよく、これにより使用者は指またはタッチペンなどでタッチ式入力モジュール２３上に軌跡を描いて入力することができる。
【実施例２】
【００２７】
上記したタッチ式入力モジュール２３をケーシング２１に対し摺動的に配設する方式以外に、図３Ａおよび図３Ｂに示した本発明に係る実施例２によれば、タッチ式入力モジュール２３はケーシング２１に枢設されている。例示して説明すると、タッチ式入力モジュール２３はケーシング２１の裏面２１２に収容されるとともに、回転軸２１３によってケーシング２１に枢設されている。具体的には、図３に示すように、タッチ式入力モジュール２３が収容されたときには、その上のキーボードはケーシング２１に裏面２１２となる。そして使用者が操作したいときは、図３Ａに示すように、タッチ式入力モジュール２３を裏面２１２から携帯型電子装置２の前面にまで反転させて、入力操作を行う。またその他の実施例おいては、タッチ式入力モジュール２３は例えば枢軸がレール内に係合されており、移動すると同時に反転して、元の正面と裏面とを交互転換が実現するというように、反転繰り出し方式で操作可能な位置にまで移動させることができる。
【００２８】
また、同様の実施例において、図３Ｃに示すように、枢設され回転可能であるため、タッチ式入力モジュール２３は入力操作を行わないときには、携帯型電子装置２のスタンドとしてもよい。つまりタッチ式入力モジュール２３が携帯型電子装置２の前面に完全に反転または反転繰り出しされていないとき、タッチ式入力モジュール２３とケーシング２１の間にある角度が形成され、タッチ式入力モジュール２３とケーシング２１とが枢設されていない側はある平面に置かれて、表示モジュール２２もその平面に傾斜することで、使用者は表示面２２１に表示されている内容が見やすくなる。ただし図３Ｃにおいては、図面を簡潔にするために、タッチ式入力モジュール２３上にキーボード形態は表示していない。当然、直接反転または反転繰り出しする以外に、タッチ式入力モジュール２３をまず収容スロットから引き出す、摺動的にまたは弾発的にある位置にまで押し出すようにして、ケーシング２１が前記位置上で回転軸２１３に結合可能となる構造を備えることで、タッチ式入力モジュール２３をケーシング２１の裏面２１２に反転または反転繰り出しすることである角度を維持するようにしても、同様に携帯型電子装置２を支える効果を達成できる。
【実施例３】
【００２９】
図４Ａは本発明に係る他の実施例３を示し、図面によればタッチ式入力モジュール２３はケーシング２１に対して取り外しできるように配設されており、タッチ式入力モジュール２３を使用しないときには収容スロット２１１内に収容されており、使用者は収容スロット２１１からタッチ式入力モジュール２３を完全に取り出して操作および使用することができる。タッチ式入力モジュール２３がケーシング２１から取り外されると、タッチ式入力モジュール２３は有線または無線で携帯型電子装置２の図示してないプロセッサモジュールと通信を行う。プロセッサモジュールはケーシング２１内に配設されており、表示モジュール２２の表示内容およびタッチ式入力モジュール２３の入力内容を処理する。使用する必要がないとき、使用者はタッチ式入力モジュール２３を収容スロット２１１内に収容することができる。さらに、タッチ式入力モジュール２３は係合、貼り合せ、磁力吸着などの手段で取り外し可能にケーシング２１に配設できるか、または弾発作用などの方式でケーシング２１から取り外すことができるが、本発明はこれに限定されないということである。
【実施例４】
【００３０】
図４Ｂはさらに本発明に係る実施例４を示す。図面によれば、携帯型電子装置２は先の実施例３と概ね同じであるが、ケーシング２１は支持部材２１４をさらに備えている。支持部材２１４は同様に収容スロット２１１内に収容されるとともに、タッチ式入力モジュール２３の下側に位置しており、同時に回転軸２１５により回転可能に収容スロット２１１に連結されている。したがって、タッチ式入力モジュール２３が引き出し、弾発的に押し出しまたは手指による押し出しによって収容スロット２１１から取外された後、支持部材２１４は手動または自動方式で図４Ｂの位置にまで回転または反転させ、平面上で携帯型電子装置２を好ましい操作角度をなすように支持することができる。当然、支持部材２１４とケーシング２１とがなす角度は視覚の需要に応じて調整することができる。また、この実施例４に係るものは、タッチ式入力モジュールを枢設させ回転繰り出しまたは反転繰り出しの方式で収容スロットから取り出され、その後支持部材は回転または反転して排出されるが、本発明はこれに限定されない。
【実施例５】
【００３１】
図５は、本発明のさらに他の実施例５を示す。図示したように携帯型電子装置２は複数のタッチ式入力モジュールを備えてもよい。即ち、図５に示すように、携帯型電子装置２は二つのタッチ式入力モジュール２３、２４を備えており、タッチ式入力モジュール２３、２４はケーシング２１の異なる側にそれぞれ配設されている。しかしながら、タッチ式入力モジュールの数量は二つに限定されるものではなく、二つ以上も実施可能である。つまり、携帯型電子装置２は複数のタッチ式入力モジュール２３、２４を備え、このうちの少なくとも二つのタッチ式入力モジュール２３、２４がそれぞれケーシング２１の異なる側に配設されている。当然、再度強調しておきたいことは、タッチ式入力モジュール２３、２４は前記した複数の実施例と同じく、摺動的に引き出し、または弾発的に排出されるか、または枢設回転繰り出しまたは反転繰り出し、または両者のいずれかの組み合わせ、または分離して取外すことなどができ、どの場合でも使用者に使われることができるが、本発明はこれに限定されないということである。
【００３２】
本実施例において、タッチ式入力モジュール２３はタッチ式入力キーボードであり、タッチ式入力モジュール２４はタッチパッドである。また、タッチ式入力モジュール２３、２４はいずれもタッチ式入力キーボードとしてもよく、または両者をいずれもタッチパッドとしてもよい。
【００３３】
以上の各実施例１〜５において、携帯型電子装置はタブレット型コンピュータまたは多機能携帯電話とすることができる。
【００３４】
上記をまとめるに、本発明の携帯型電子装置において、タッチ式入力モジュールは表示モジュールの表示面に配設されているものではなく、表示面に対して表示モジュールの下側に配置されているため、タッチ式入力モジュールと表示モジュールとが独立して動作可能となっており、使用者が表示モジュールを見るときでもタッチ式入力モジュールに干渉されることはない。また、タッチ式入力モジュールはタッチ式入力キーボードとすることができるので、使用頻度の高い使用者にとっては、独立したタッチ式入力キーボードは従来の仮想キーボードよりも多くのキーを提供できるので、さらに扱いやすくなるものである。
【００３５】
上記は例示的なものであって、限定するためのものではない。本発明の技術的思想および範囲から逸脱することなく、行われる等価の修正または変更は、いずれも別紙の特許請求の範囲に含まれる。
【産業上の利用可能性】
【００３６】
本発明の以上の如く構成したので、独立した表示モジュールおよびタッチ式入力モジュールを統合した携帯型電子装置として好適に用いられるものである。
【符号の説明】
【００３７】
１  タブレット型コンピュータ
１１  タッチスクリーン
１１１  表示パネル
１１２  タッチ式入力パネル
１２  ケーシング
２  携帯型電子装置
２１  ケーシング
２１１  収容スロット
２１２  裏面
２１３  回転軸
２１４  支持部材
２１５  回転軸
２２  表示モジュール
２２１  表示面
２３、２４  タッチ式入力モジュール
２３１  入力ユニット
【図１】
2013089257.tif 000003
【図２Ａ】
2013089257.tif 000004
【図２Ｂ】
2013089257.tif 000005
【図２Ｃ】
2013089257.tif 000006
【図３Ａ】
2013089257.tif 000007
【図３Ｂ】
2013089257.tif 000008
【図３Ｃ】
2013089257.tif 000009
【図４Ａ】
2013089257.tif 000010
【図４Ｂ】
2013089257.tif 000011
【図５】
2013089257.tif 000012